(57)【要約】      （修正有）【課題】HFC-143を含む新たな組成物を提供する。【解決手段】冷媒を含む組成物であって、該冷媒が、1,1,2-トリフルオロエタン（HFC-143）と、1-クロロ-1,2,2-トリフルオロエタン（HCFC-133）、1-クロロ-1,1,2-トリフルオロエタン（HCFC-133b）及び1-クロロ-2-フルオロエチレン（HCFO-1131）からなる群より選ばれる少なくとも１種の化合物とを含む、組成物。【選択図】なし【特許請求の範囲】
【請求項１】
冷媒を含む組成物であって、
該冷媒が、
1,1,2-トリフルオロエタン（HFC-143）と、
1-クロロ-1,2,2-トリフルオロエタン（HCFC-133）、1-クロロ-1,1,2-トリフルオロエタン（HCFC-133b）及び1-クロロ-2-フルオロエチレン（HCFO-1131）からなる群より選ばれる少なくとも１種の化合物と
を含む、
組成物。
【請求項２】
前記冷媒が、
さらに、
1,1,2-トリフルオロエチレン（HFC-1123）、1,1-ジフルオロエタン（HFC-152a）、フルオロエタン（HFC-161）、1,1,2-トリフルオロエタン（HFC-143）、2-クロロ1,1,1-トリフルオロエタン（HCFC-133a）、HCFC-133b、2,2-ジクロロ1,1,1-トリフルオロエタン（HCFC-123）及び1,2-ジフルオロエタン（HFC-152）からなる群より選ばれる少なくとも１種の追加的化合物
を含む、請求項１に記載の組成物。
【請求項３】
共沸又は共沸様組成物である、請求項１又は２に記載の組成物。
【請求項４】
前記追加的化合物を、前記冷媒の全体に対して合計で１質量％以下含む、請求項２又は３に記載の組成物。
【請求項５】
請求項１〜４のいずれか一項に記載の組成物の、熱移動媒体組成物としての使用。
【請求項６】
HFC-143及びHCFC-133bを含む共沸組成物を、HFC-143及びHCFC-133bを含む組成物から分離する方法であって：
（１）HFC-143及びHCFC-133bを含む組成物を第１蒸留塔に供給して蒸留する工程；及び
（２）HFC-143及びHCFC-133bを含む共沸組成物を第１蒸留塔の塔頂留出物として、かつHFC-143又はHCFC-133bを第１蒸留塔の塔底から、それぞれ抜き出す工程；並びに
（３）必要に応じて前記塔頂留出物を第１蒸留塔と運転条件の異なる第２蒸留塔に供給して蒸留する工程；及び
を含む分離方法。
【請求項７】
第２蒸留塔の運転圧力が第１蒸留塔の運転圧力よりも低い、請求項６に記載の分離方法。
【請求項８】
第２蒸留塔の運転圧力が第１蒸留等の運転圧力よりも高い、請求項６に記載の分離方法
【請求項９】
第２蒸留塔の塔頂留出物を第１蒸留塔にリサイクルする、請求項６〜８のいずれか一項に記載の分離方法。
【発明の詳細な説明】
【技術分野】
【０００１】
本開示は、1,1,2-トリフルオロエタン（HFC-143）と、1-クロロ-1,2,2-トリフルオロエタン（HCFC-133）、1-クロロ-1,1,2-トリフルオロエタン（HCFC-133b）及び1-クロロ-2-フルオロエチレン（HCFO-1131）からなる群より選ばれる少なくとも1種の化合物とを含む組成物に関する。
【背景技術】
【０００２】
HFC-143は、HFO-1132を得るための中間体として有用であるばかりでなく、それ自身が冷媒としても有用なものである（特許文献１）。
【先行技術文献】
【特許文献】
【０００３】
【特許文献１】特表平８−５０２９９６号公報
【発明の概要】
【発明が解決しようとする課題】
【０００４】
本開示は、HFC-143を含む新たな組成物を提供することを課題とする。
【課題を解決するための手段】
【０００５】
項１．
冷媒を含む組成物であって、
該冷媒が、
1,1,2-トリフルオロエタン（HFC-143）と、
1-クロロ-1,2,2-トリフルオロエタン（HCFC-133）、1-クロロ-1,1,2-トリフルオロエタン（HCFC-133b）及び1-クロロ-2-フルオロエチレン（HCFO-1131）からなる群より選ばれる少なくとも１種の化合物と
を含む、
組成物。
項２．
前記冷媒が、
HFC-143と、
HCFC-133、HCFC-133b及びHCFO-1131からなる群より選択される少なくとも１種の化合物と、さらに、
1,1,2-トリフルオロエチレン（HFC-1123）、1,1-ジフルオロエタン（HFC-152a）、フルオロエタン（HFC-161）、1,1,2-トリフルオロエタン（HFC-143）、2-クロロ1,1,1-トリフルオロエタン（HCFC-133a）、HCFC-133b、2,2-ジクロロ1,1,1-トリフルオロエタン（HCFC-123）及び1,2-ジフルオロエタン（HFC-152）からなる群より選ばれる少なくとも１種の追加的化合物と
を含む、項１に記載の組成物。
項３．
共沸又は共沸様組成物である、項１又は２に記載の組成物。
項４．
前記追加的化合物を、前記冷媒の全体に対して合計で１質量％以下含む、項２又は３に記載の組成物。
項５．
項１〜４のいずれか一項に記載の組成物の、熱移動媒体組成物としての使用。
項６．
HFC-143及びHCFC-133bを含む共沸組成物を、HFC-143及びHCFC-133bを含む組成物から分離する方法であって：
（１）HFC-143及びHCFC-133bを含む組成物を第１蒸留塔に供給して蒸留する工程；及び
（２）HFC-143及びHCFC-133bを含む共沸組成物を第１蒸留塔の塔頂留出物として、かつHFC-143又はHCFC-133bを第１蒸留塔の塔底から、それぞれ抜き出す工程；並びに
（３）必要に応じて前記塔頂留出物を第１蒸留塔と運転条件の異なる第２蒸留塔に供給して蒸留する工程；及び
を含む分離方法。
項７．
第２蒸留塔の運転圧力が第１蒸留塔の運転圧力よりも低い、項６に記載の分離方法。
項８．
第２蒸留塔の運転圧力が第１蒸留等の運転圧力よりも高い、項６に記載の分離方法
項９．
第２蒸留塔の塔頂留出物を第１蒸留塔にリサイクルする、項６〜８のいずれか一項に記載の分離方法。
【発明の効果】
【０００６】
本開示により、新たな組成物が提供される。
【図面の簡単な説明】
【０００７】
【図１】蒸留塔を用いてHFC-143と追加的成分としてHFO-1123、エチレン、HFC-161、HFC-152、HCFC-133、HCFC-123、HCFC-21を含む組成物を蒸留する、実施例の操作の模式図である。
【発明を実施するための形態】
【０００８】
＜用語の定義＞
本明細書において用語「冷媒」には、ISO817（国際標準化機構）で定められた、冷媒の種類を表すRで始まる冷媒番号（ASHRAE番号）が付された化合物が少なくとも含まれ、さらに冷媒番号が未だ付されていないとしても、それらと同等の冷媒としての特性を有するものが含まれる。冷媒は、化合物の構造の面で、「フルオロカーボン系化合物」と「非フルオロカーボン系化合物」とに大別される。「フルオロカーボン系化合物」には、クロロフルオロカーボン（CFC）、ハイドロクロロフルオロカーボン（HCFC）及びハイドロフルオロカーボン（HFC）が含まれる。「非フルオロカーボン系化合物」としては、プロパン（R290）、プロピレン（R1270）、ブタン（R600）、イソブタン（R600a）、二酸化炭素（R744）及びアンモニア（R717）等が挙げられる。
【０００９】
本明細書において、用語「冷媒を含む組成物」には、（１）冷媒そのもの（冷媒の混合物を含む）と、（２）その他の成分をさらに含み、少なくとも冷凍機油と混合することにより冷凍機用作動流体を得るために用いることのできる組成物と、（３）冷凍機油を含有する冷凍機用作動流体とが少なくとも含まれる。本明細書においては、これら三態様のうち、（２）の組成物のことを、冷媒そのもの（冷媒の混合物を含む）と区別して「冷媒組成物」と表記する。また、（３）の冷凍機用作動流体のことを「冷媒組成物」と区別して「冷凍機油含有作動流体」と表記する。
【００１０】
本明細書において、用語「共沸様組成物」は、共沸組成物と実質的に同様に取り扱うことができる組成物を意味する。具体的には、本明細書において、用語「共沸様組成物」は、実質的に単一物質として振る舞う２つ以上の物質の定沸点の、または実質的に定沸点の混合物を意味する。共沸様組成物の特徴の一つとして、液体の蒸発又は蒸留によって発生した蒸気の組成が、液体の組成と実質的に変化しないことが挙げられる。すなわち、本明細書においては、ある混合物が、実質的な組成変化なしに沸騰、蒸留又は還流するとき、この混合物のことを、共沸様組成物と呼ぶ。具体的には、ある特定の温度での組成物のバブルポイント蒸気圧と、当該組成物の露点蒸気圧との差が3%以下（バブルポイント圧力を基準として）である場合に、当該組成物は共沸様組成物であると本開示では定義する。
【００１１】
本明細書において、用語「代替」は、第一の冷媒を第二の冷媒で「代替」するという文脈で用いられる場合、第一の類型として、第一の冷媒を使用して運転するために設計された機器において、必要に応じてわずかな部品（冷凍機油、ガスケット、パッキン、膨張弁、ドライヤその他の部品のうち少なくとも一種）の変更及び機器調整のみを経るだけで、第二の冷媒を使用して、最適条件下で運転することができることを意味する。すなわち、この類型は、同一の機器を、冷媒を「代替」して運転することを指す。この類型の「代替」の態様としては、第二の冷媒への置き換えの際に必要とされる変更乃至調整の度合いが小さい順に、「ドロップイン（drop in）代替」、「ニアリー・ドロップイン（nealy drop in）代替」及び「レトロフィット（retrofit）」があり得る。
【００１２】
第二の類型として、第二の冷媒を用いて運転するために設計された機器を、第一の冷媒の既存用途と同一の用途のために、第二の冷媒を搭載して用いることも、用語「代替」に含まれる。この類型は、同一の用途を、冷媒を「代替」して提供することを指す。
【００１３】
本明細書において用語「冷凍機（refrigerator）」とは、物あるいは空間の熱を奪い去ることにより、周囲の外気よりも低い温度にし、かつこの低温を維持する装置全般のことをいう。言い換えれば、冷凍機は温度の低い方から高い方へ熱を移動させるために、外部からエネルギーを得て仕事を行いエネルギー変換する変換装置のことをいう。
【００１４】
１．組成物
本開示の組成物は、少なくとも本開示の冷媒を含む。
【００１５】
１．１  冷媒
本開示の冷媒は、HFC-143と、1-クロロ-1,2,2-トリフルオロエタン（HCFC-133）、1-クロロ-1,1,2-トリフルオロエタン（HCFC-133b）及び1-クロロ-2-フルオロエチレン（HCFO-1131）からなる群より選択される少なくとも一種の追加的化合物（第１追加的化合物）とを含む。
【００１６】
本開示の冷媒は、第１追加的化合物を、HFC-143と第１追加的化合物との合計を基準として、好ましくは０質量％を超え１０質量％未満含み、より好ましくは０質量％を超え５質量％未満含み、さらに好ましくは０質量％を超え１質量％未満含む。
【００１７】
さらに本開示の冷媒は、HFC-143と上記の第１追加的化合物とに加えて、1,1,2-トリフルオロエチレン（HFC-1123）、1,1-ジフルオロエタン、フルオロエタン（HFC-161）、1,1,2-トリフルオロエタン（HFC-143）、2-クロロ1,1,1-トリフルオロエタン（HCFC-133a）、2,2-ジクロロ1,1,1-トリフルオロエタン（HCFC-123）及び1,2-ジフルオロエタン（HFC-152a）からなる第２追加的化合物を含んでいてもよい。
【００１８】
本開示の冷媒は、第２追加的化合物を合計で、HFC-143と第１追加的化合物と第２追加的化合物との合計を基準として、好ましくは１質量％以下含む。この割合で第２追加的化合物を含む本開示の冷媒を含む組成物は安定性に優れ、1,2-ジフルオロエチレン（HFO-1132）の製造用原料として使用しうる。
【００１９】
本開示の冷媒は、HFC-143と第１追加的化合物と第２追加的化合物との合計を、冷媒全体を基準として、好ましくは99.5質量％以上含む。
【００２０】
１．２  共沸又は共沸様組成物
本開示の組成物は、好ましくは共沸又は共沸様組成物である。これらの共沸又は共沸様組成物は、HFC-143と追加的化合物との混合物において、追加的化合物をHFC-143から分離する共沸蒸留を行う際に重要な組成物となりうる。
【００２１】
上記において、追加的化合物には、第１追加的化合物が含まれ、さらに必要に応じて第２追加的化合物が含まれうる。
【００２２】
共沸蒸留とは、共沸又は共沸様組成物が分離されるような条件下で蒸留塔を運転することにより目的物を濃縮乃至分離する方法である。共沸蒸留によって、分離対象成分のみを蒸留することができる場合もあるが、分離対象成分の１つ以上と共沸混合物を形成する別の成分を外部から添加した場合に初めて共沸蒸留が起こる場合もある。狭義には、後者のみを共沸蒸留と呼ぶ。例えば、HFC-143と第１追加的化合物とを含む共沸又は共沸様組成物を、HFC-143と第１追加的化合物とを少なくとも含む組成物から共沸蒸留によって抜き出すことによって、第１追加的化合物をHFC-143から分離することができる。
【００２３】
HFC-143とHCFC-133との混合物は、温度40℃、圧力0.38MPa（絶対圧）のとき、、HFC-143とHCFC-133との質量比がHFC-143：HCFC-133＝74:26であるときに、共沸組成物となり、同質量比がHFC-143：HCFC-133＝15:85〜99.9:0.1であるときに、共沸様組成物となる。
【００２４】
HFC-143とHCFC-133bとの混合物は、温度40℃、圧力0.40MPa（絶対圧）のとき、HFC-143とHCFC-133bとの質量比がHFC-143：HCFC-133b＝48:52であるときに、共沸組成物となり、同質量比がHFC-143：HCFC-133b＝23:77〜99.9:0.1であるときに、共沸様組成物となる。
【００２５】
HFC-143とtrans-HCFO-1131との混合物は、温度40℃、圧力0.50MPa（絶対圧）のとき、HFC-143とtrans-HCFO-1131との質量比がHFC-143：trans-HCFO-1131＝56:44であるときに、共沸組成物となり、同質量比がHFC-143：trans-HCFO-1131＝41:59〜71:29であるときに、共沸様組成物となる。
【００２６】
HFC-143とcis-HCFO-1131との混合物は、温度40℃、圧力0.43MPa（絶対圧）のとき、HFC-143とcis-HCFO-1131との質量比がHFC-143：cis-HCFO-1131＝59:41であるときに、共沸組成物となり、同質量比がHFC-143：cis-HCFO-1131＝38:62〜99.9:0.1であるときに、共沸様組成物となる。
【００２７】
１．３  熱移動媒体組成物
本開示の組成物は、熱移動媒体組成物として用いることができる。
【００２８】
また本開示の組成物は、熱移動媒体組成物として用いられる場合、従来から用いられるHFC冷媒である、HFC134a、R-410A、R-407C又はR-404A等の冷媒を代替する、より低い地球温暖化係数（GWP）を有する冷媒、又は冷媒の成分としても使用しうる。
【００２９】
熱移動媒体組成物として用いられる本開示の組成物は、第１及び第２追加的化合物に加え、さらに少なくとも一種のその他の成分を含有していてもよい。本開示の組成物は、さらに少なくとも冷凍機油と混合することにより冷凍機用作動流体を得るために用いることができる（この場合の本開示の組成物を「本開示の冷媒組成物」という）。
【００３０】
本開示の冷媒組成物は、必要に応じて、以下のその他の成分のうち少なくとも一種を含有していてもよい。その他の成分は、特に限定されないが、具体的には、例えば、水、トレーサー、紫外線蛍光染料、安定剤、重合禁止剤等が挙げられる。
【００３１】
本開示の冷媒組成物を、冷凍機における作動流体として使用するに際しては、通常、少なくとも冷凍機油と混合して用いられる。したがって、本開示の冷媒組成物は、好ましくは冷凍機油を実質的に含まない。具体的には、本開示の冷媒組成物は、組成物全体に対する冷凍機油の含有量が好ましくは0〜1質量%であり、より好ましくは0〜0.1質量%である。
【００３２】
本開示の冷媒組成物は、微量の水を含んでもよい。冷媒組成物における含水割合は、冷媒全体に対して、0.1質量％以下とすることが好ましい。冷媒組成物が微量の水分を含むことにより、冷媒中に含まれ得る不飽和のフルオロカーボン系化合物の分子内二重結合が安定化され、また、不飽和のフルオロカーボン系化合物の酸化も起こりにくくなるため、冷媒組成物の安定性が向上する。
【００３３】
トレーサーは、本開示の冷媒組成物が希釈、汚染、その他何らかの変更があった場合、その変更を追跡できるように検出可能な濃度で本開示の冷媒組成物に添加される。
【００３４】
本開示の冷媒組成物は、トレーサーとして、一種を単独で含有してもよいし、二種以上を含有してもよい。
【００３５】
トレーサーとしては、特に限定されず、一般に用いられるトレーサーの中から適宜選択することができる。
【００３６】
トレーサーとしては、例えば、ハイドロフルオロカーボン、ハイドロクロロフルオロカーボン、クロロフルオロカーボン、ハイドロクロロカーボン、フルオロカーボン、重水素化炭化水素、重水素化ハイドロフルオロカーボン、パーフルオロカーボン、フルオロエーテル、臭素化化合物、ヨウ素化化合物、アルコール、アルデヒド、ケトン、亜酸化窒素（N2O）等が挙げられる。トレーサーとしては、ハイドロフルオロカーボン、ハイドロクロロフルオロカーボン、クロロフルオロカーボン、ハイドロクロロカーボン、フルオロカーボン及びフルオロエーテルが特に好ましい。
【００３７】
トレーサーとしては、以下の化合物が好ましい。
FC-14（テトラフルオロメタン、CF4）
HCC-40（クロロメタン、CH3Cl）
HFC-23（トリフルオロメタン、CHF3）
HFC-41（フルオロメタン、CH3Cl）
HFC-125（ペンタフルオロエタン、CF3CHF2）
HFC-134a（1,1,1,2-テトラフルオロエタン、CF3CH2F）
HFC-134（1,1,2,2-テトラフルオロエタン、CHF2CHF2）
HFC-143a（1,1,1-トリフルオロエタン、CF3CH3）
HFC-152（1,2-ジフルオロエタン、CH2FCH2F）
HFC-245fa（1,1,1,3,3-ペンタフルオロプロパン、CF3CH2CHF2）
HFC-236fa（1,1,1,3,3,3-ヘキサフルオロプロパン、CF3CH2CF3）
HFC-236ea（1,1,1,2,3,3-ヘキサフルオロプロパン、CF3CHFCHF2）
HFC-227ea(1,1,1,2,3,3,3-ヘプタフルオロプロパン、CF3CHFCF3)
HCFC-22（クロロジフルオロメタン、CHClF2）
HCFC-31（クロロフルオロメタン、CH2ClF）
CFC-1113（クロロトリフルオロエチレン、CF2=CClF）
HFE-125（トリフルオロメチル−ジフルオロメチルエーテル、CF3OCHF2）
HFE-134a（トリフルオロメチル−フルオロメチルエーテル、CF3OCH2F）
HFE-143a（トリフルオロメチル−メチルエーテル、CF3OCH3）
HFE-227ea（トリフルオロメチル−テトラフルオロエチルエーテル、CF3OCHFCF3）HFE-236fa（トリフルオロメチル−トリフルオロエチルエーテル、CF3OCH2CF3）
【００３８】
本開示の冷媒組成物は、トレーサーを合計で、冷媒組成物全体に対して、約10重量百万分率（ppm）〜約1000ppm含んでいてもよい。本開示の冷媒組成物は、トレーサーを合計で、冷媒組成物全体に対して、好ましくは約30ppm〜約500ppm、より好ましくは約50ppm〜約300ppm含んでいてもよい。
【００３９】
本開示の冷媒組成物は、紫外線蛍光染料として、一種を単独で含有してもよいし、二種以上を含有してもよい。
【００４０】
紫外線蛍光染料としては、特に限定されず、一般に用いられる紫外線蛍光染料の中から適宜選択することができる。
【００４１】
紫外線蛍光染料としては、例えば、ナフタルイミド、クマリン、アントラセン、フェナントレン、キサンテン、チオキサンテン、ナフトキサンテン及びフルオレセイン、並びにこれらの誘導体が挙げられる。紫外線蛍光染料としては、ナフタルイミド及びクマリンのいずれか又は両方が特に好ましい。
【００４２】
本開示の冷媒組成物は、安定剤として、一種を単独で含有してもよいし、二種以上を含有してもよい。
【００４３】
安定剤としては、特に限定されず、一般に用いられる安定剤の中から適宜選択することができる。
【００４４】
安定剤としては、例えば、ニトロ化合物、エーテル類及びアミン類等が挙げられる。
【００４５】
ニトロ化合物としては、例えば、ニトロメタン及びニトロエタン等の脂肪族ニトロ化合物、並びにニトロベンゼン及びニトロスチレン等の芳香族ニトロ化合物等が挙げられる。
【００４６】
エーテル類としては、例えば、1,4-ジオキサン等が挙げられる。
【００４７】
アミン類としては、例えば、2,2,3,3,3-ペンタフルオロプロピルアミン、ジフェニルアミン等が挙げられる。
【００４８】
その他にも、ブチルヒドロキシキシレン、ベンゾトリアゾール等が挙げられる。
【００４９】
安定剤の含有割合は、特に限定されず、冷媒全体に対して、通常、0.01〜5質量％とすることが好ましく、0.05〜2質量％とすることがより好ましい。
【００５０】
本開示の冷媒組成物は、重合禁止剤として、一種を単独で含有してもよいし、二種以上を含有してもよい。
【００５１】
重合禁止剤としては、特に限定されず、一般に用いられる重合禁止剤の中から適宜選択することができる。
【００５２】
重合禁止剤としては、例えば、4-メトキシ-1-ナフトール、ヒドロキノン、ヒドロキノンメチルエーテル、ジメチル-t-ブチルフェノール、2,6-ジ-tert-ブチル-p-クレゾール、ベンゾトリアゾール等が挙げられる。
【００５３】
重合禁止剤の含有割合は、特に限定されず、冷媒全体に対して、通常、0.01〜5質量％とすることが好ましく、0.05〜2質量％とすることがより好ましい。
【００５４】
本開示の組成物は、冷凍機油を含有する冷凍機用作動流体としても使用できる（この組成物を「本開示の冷凍機油含有作動流体」という）。本開示の冷凍機油含有作動流体は、本開示の冷媒組成物と、冷凍機油とを少なくとも含み、冷凍機における作動流体として用いられる。具体的には、本開示の冷凍機油含有作動流体は、冷凍機の圧縮機において使用される冷凍機油と、冷媒又は冷媒組成物とが互いに混じり合うことにより得られる。冷凍機油含有作動流体には冷凍機油は一般に10〜50質量％含まれる。
【００５５】
本開示の冷凍機油含有作動流体は、冷凍機油として、一種を単独で含有してもよいし、二種以上を含有してもよい。
【００５６】
冷凍機油としては、特に限定されず、一般に用いられる冷凍機油の中から適宜選択することができる。その際には、必要に応じて、前記混合物との相溶性及び前記混合物の安定性等を向上する作用等の点でより優れている冷凍機油を適宜選択することができる。
【００５７】
冷凍機油の基油としては、例えば、ポリアルキレングリコール（PAG）、ポリオールエステル（POE）及びポリビニルエーテル（PVE）からなる群より選択される少なくとも一種が好ましい。
【００５８】
冷凍機油は、基油に加えて、さらに添加剤を含んでいてもよい。添加剤は、酸化防止剤、極圧剤、酸捕捉剤、酸素捕捉剤、銅不活性化剤、防錆剤、油性剤及び消泡剤からなる群より選択される少なくとも一種であってもよい。
【００５９】
冷凍機油として、40℃における動粘度が5〜400 cStであるものが、潤滑の点で好ましい。
【００６０】
本開示の冷凍機油含有作動流体は、必要に応じて、さらに少なくとも一種の添加剤を含んでもよい。添加剤としては例えば以下の相溶化剤等が挙げられる。
【００６１】
本開示の冷凍機油含有作動流体は、相溶化剤として、一種を単独で含有してもよいし、二種以上を含有してもよい。
【００６２】
相溶化剤としては、特に限定されず、一般に用いられる相溶化剤の中から適宜選択することができる。
【００６３】
相溶化剤としては、例えば、ポリオキシアルキレングリコールエーテル、アミド、ニトリル、ケトン、クロロカーボン、エステル、ラクトン、アリールエーテル、フルオロエーテルおよび1,1,1-トリフルオロアルカン等が挙げられる。相溶化剤としては、ポリオキシアルキレングリコールエーテルが特に好ましい。
【００６４】
２．分離方法
また、本開示では、上記の組成物を利用したこれらの成分の分離プロセスも開示される。
【００６５】
例えば、HFC-143と追加的化合物とを含む共沸又は共沸様組成物を、HFC-143と追加的化合物とを少なくとも含む組成物から共沸蒸留によって抜き出すことによって、追加的化合物をHFC-143から分離することができる。
【００６６】
上記において、追加的化合物には、第１追加的化合物が含まれ、さらに必要に応じて第２追加的化合物が含まれうる。
【００６７】
具体的には、例えば、HFC-143及びHCFC-133bを含む共沸組成物を、HFC-143及びHCFC-133bを含む組成物から分離する方法として、以下の工程を含む方法が挙げられる。
（１）HFC-143及びHCFC-133bを含む組成物を第１蒸留塔に供給して蒸留する工程；及び
（２）HFC-143及びHCFC-133bを含む共沸組成物を第１蒸留塔の塔頂留出物として、かつHFC-143又はHCFC-133bを第１蒸留塔の塔底から、それぞれ抜き出す工程；並びに
（３）必要に応じて前記塔頂留出物を第１蒸留塔と運転条件の異なる第２蒸留塔に供給して蒸留する工程；及び
（４）必要に応じて第１蒸留塔の塔底から抜き出した化合物に富むストリームを第２蒸留塔の塔底から抜き出す工程；
を含む分離方法。
【００６８】
HFC-143及びHCFC-133bを含む出発組成物は、HFC-143及びHCFC-133bのみからなる非共沸組成物であってもよいし、HFC-143及びHCFC-133bとは別の成分を一種以上さらに含む組成物であってもよい。
【００６９】
HFC-143及びHCFC-133bを含む共沸組成物は、HFC-143及びHCFC-133bのみからなる共沸組成物であってもよい。
【００７０】
第２蒸留塔の運転圧力は、第１蒸留塔の運転圧力よりも低くてもよいし、高くてもよい。
【００７１】
第２蒸留塔の塔頂留出物を第１蒸留塔にリサイクルしてもよい。
【００７２】
以上、実施形態を説明したが、特許請求の範囲の趣旨及び範囲から逸脱することなく、形態や詳細の多様な変更が可能なことが理解されるであろう。
【実施例】
【００７３】
以下に、実施例を挙げてさらに詳細に説明する。ただし、本開示は、これらの実施例に限定されるものではない。
【００７４】
HFC-143とHCFC-133bとの気液平衡データを表１に示す。なお、圧力は絶対圧を指す。
【００７５】
【表１】
2020147636.tif 000002
【００７６】
HFC-143とHCFC-133との気液平衡データを表２に示す。なお、圧力は絶対圧を指す。
【００７７】
【表２】
2020147636.tif 000003
【００７８】
HFC-143とHCFC-1131(E)との気液平衡データを表３に示す。なお、圧力は絶対圧を指す。
【００７９】
【表３】
2020147636.tif 000004
【００８０】
HFC-143とHCFC-1131(Z)との気液平衡データを表４に示す。なお、圧力は絶対圧を指す。
【００８１】
【表４】
2020147636.tif 000005
【００８２】
実施例１
HFC-143及びHCFO-133bを含む共沸組成物を分離により得るためのプロセスを以下の通り行った。図１に共沸組成物を用いた蒸留分離プロセスの一例を示す。S11よりHFC-143及びHCFC-133bを含む非共沸組成物（出発組成物）を蒸留塔C1にフィードする。S13よりHFC-143及びHCFC-133bを含む共沸組成物が流出し、S12からは出発組成物と比較してHCFC-133b、HCFO-1131(E)およびHCFO-1131(Z)の濃度が低下したHFC-143及びHCFC-133bを含む非共沸組成物が得られる。S12は次の工程に送られる。C2ではC1から圧力条件を変えることにより得られる共沸組成を変えることができる。これを利用して、S14からS12と比較してHCFC-133b、HCFC-133、HCFO-1131(E)およびHCFO-1131(Z)の濃度が低下した実質的にHFC-143のみからなる組成物を得ることができる。表５は、蒸留を行った際の各ストリームにおける組成比（質量比）から各成分の流量を求めたものである。このプロセスを利用することにより、ロスを最低限にしたHFC-143の精製プロセスを構築できる。
【００８３】
なお、運転圧力は次の通りとした。C1 = 0.5MPa；C2 = 0.4MPa
なお、圧力は絶対圧を指す。
【００８４】
【表５】
2020147636.tif 000006
【００８５】
実施例２
R143と追加的化合物とを含む冷媒の冷凍能力を比較した。結果を表６に示す。冷凍サイクル条件は以下の通りである。
【００８６】
蒸発温度 10℃、凝縮温度 45℃、過熱度 5℃、過冷却度 5℃、損失ゼロ、効率100％
【００８７】
【表６】
2020147636.tif 000007
【図１】
2020147636.tif 000008
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
冷媒を含む組成物であって、
該冷媒が、
1,1,2-トリフルオロエタン（HFC-143）と、
1-クロロ-1,2,2-トリフルオロエタン（HCFC-133）、1-クロロ-1,1,2-トリフルオロエタン（HCFC-133b）及び1-クロロ-2-フルオロエチレン（HCFO-1131）からなる群より選ばれる少なくとも１種の化合物と
を含む、
組成物。
【請求項２】
前記冷媒が、
さらに、
1,1,2-トリフルオロエチレン（HFC-1123）、1,1-ジフルオロエタン（HFC-152a）、フルオロエタン（HFC-161）、1,1,2-トリフルオロエタン（HFC-143）、2-クロロ1,1,1-トリフルオロエタン（HCFC-133a）、2,2-ジクロロ1,1,1-トリフルオロエタン（HCFC-123）及び1,2-ジフルオロエタン（HFC-152）からなる群より選ばれる少なくとも１種の追加的化合物
を含む、請求項１に記載の組成物。
【請求項３】
共沸又は共沸様組成物である、請求項１又は２に記載の組成物。
【請求項４】
前記追加的化合物を、前記冷媒の全体に対して合計で１質量％以下含む、請求項２又は３に記載の組成物。
【請求項５】
請求項１〜４のいずれか一項に記載の組成物の、熱移動媒体組成物としての使用。
【請求項６】
HFC-143及びHCFC-133bを含む共沸組成物を、HFC-143及びHCFC-133bを含む組成物から分離する方法であって：
（１）HFC-143及びHCFC-133bを含む組成物を第１蒸留塔に供給して蒸留する工程；及び（２）HFC-143及びHCFC-133bを含む共沸組成物を第１蒸留塔の塔頂留出物として、かつHFC-143又はHCFC-133bを第１蒸留塔の塔底から、それぞれ抜き出す工程；並びに（３）必要に応じて前記塔頂留出物を第１蒸留塔と運転条件の異なる第２蒸留塔に供給して蒸留する工程；及び
を含む分離方法。
【請求項７】
第２蒸留塔の運転圧力が第１蒸留塔の運転圧力よりも低い、請求項６に記載の分離方法。
【請求項８】
第２蒸留塔の運転圧力が第１蒸留等の運転圧力よりも高い、請求項６に記載の分離方法
【請求項９】
第２蒸留塔の塔頂留出物を第１蒸留塔にリサイクルする、請求項６〜８のいずれか一項に記載の分離方法。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
冷媒を含む組成物であって、
該冷媒が、
1,1,2-トリフルオロエタン（HFC-143）と、
1-クロロ-1,2,2-トリフルオロエタン（HCFC-133）、1-クロロ-1,1,2-トリフルオロエタン（HCFC-133b）及び1-クロロ-2-フルオロエチレン（HCFO-1131）からなる群より選ばれる少なくとも１種の化合物と、
1,1,2-トリフルオロエチレン（HFC-1123）、1,1-ジフルオロエタン（HFC-152a）、フルオロエタン（HFC-161）、2,2-ジクロロ1,1,1-トリフルオロエタン（HCFC-123）及び1,2-ジフルオロエタン（HFC-152）からなる群より選ばれる少なくとも１種の追加的化合物と
を含む、
組成物。
【請求項２】
共沸又は共沸様組成物である、請求項１又は２に記載の組成物。
【請求項３】
前記追加的化合物を、前記冷媒の全体に対して合計で１質量％以下含む、請求項１又は２に記載の組成物。
【請求項４】
請求項１〜３のいずれか一項に記載の組成物の、熱移動媒体組成物としての使用。
【請求項５】
HFC-143及びHCFC-133bを含む共沸組成物を、HFC-143及びHCFC-133bを含む組成物から分離する方法であって：
（１）HFC-143及びHCFC-133bを含む組成物を第１蒸留塔に供給して蒸留する工程；及び（２）HFC-143及びHCFC-133bを含む共沸組成物を第１蒸留塔の塔頂留出物として、かつHFC-143又はHCFC-133bを第１蒸留塔の塔底から、それぞれ抜き出す工程；並びに（３）必要に応じて前記塔頂留出物を第１蒸留塔と運転条件の異なる第２蒸留塔に供給して蒸留する工程；及び
を含む分離方法。
【請求項６】
第２蒸留塔の運転圧力が第１蒸留塔の運転圧力よりも低い、請求項５に記載の分離方法。
【請求項７】
第２蒸留塔の運転圧力が第１蒸留等の運転圧力よりも高い、請求項５に記載の分離方法
【請求項８】
第２蒸留塔の塔頂留出物を第１蒸留塔にリサイクルする、請求項５〜７のいずれか一項に記載の分離方法。